(57)【要約】【課題】開閉体の薄型化を図ることができる開閉体のロック装置を提供する。【解決手段】このロック装置１０は、ロック部とロッド３０と第１付勢手段とロッド３０をスライドさせる操作手段と、操作手段でロッド３０をロック部に係合しない方向にスライドさせると、ロッド３０をロック部に係合しない状態に保持し、開閉体６を閉じると、ロッド保持を解除してロック部に係合させる保持手段とを有し、保持手段は、開閉体周縁から出没可能に装着され、第２付勢手段により突出方向に付勢されたスイッチ部材５０と、スイッチ部材５０に連動してロッドの移動を規制するストッパ部材６０とで構成され、スイッチ部材５０及びストッパ部材６０は、ロッド３０に対し開閉体６の内面６ａに沿って並列して配置されている。【選択図】図４
2017002470.tif 000002
【特許請求の範囲】
【請求項１】
固定体の開口部に開閉可能に取付けられる開閉体のロック装置であって、
前記固定体の開口部に設けられたロック部と、
前記開閉体にスライド可能に配置されると共に、前記ロック部に係脱するロッドと、
前記ロッドを前記ロック部に係合する方向に付勢する第１付勢手段と、
前記第１付勢手段の付勢力に抗して、前記ロッドを前記ロック部に係合しない方向にスライドさせる操作手段と、
前記操作手段により、前記ロッドを前記ロック部に係合しない方向にスライドさせると、前記第１付勢手段の付勢力に抗して前記ロッドを前記ロック部に係合しない状態に保持すると共に、前記開閉体を閉じると、前記ロッドの保持を解除して前記ロッドを前記ロック部に係合させる保持手段とを有し、
前記保持手段は、前記開閉体の周縁部から出没可能に前記開閉体に装着され、第２付勢手段により突出方向に付勢されたスイッチ部材と、該スイッチ部材に連動して前記ロッドの移動を規制するストッパ部材とで構成されており、
前記操作手段により前記ロッドを前記ロック部に係合しない方向にスライドさせると、前記ストッパ部材が前記ロッドの移動軌跡に侵入して、前記ロッドが前記第１付勢手段の付勢力により前記ロック部に係合する方向に戻るのを規制し、前記開閉体が開くと、前記スイッチ部材が前記第２付勢手段の付勢力により前記開閉体の周縁部から突出し、
前記開閉体を閉じると、前記スイッチ部材が前記第２付勢手段の付勢力に抗して前記開閉体の周縁部から引き込まれ、前記ストッパ部材が前記スイッチ部材に連動して、前記ロッドの前記ロック部に係合する方向への移動を許容するように構成されており、
前記スイッチ部材及び前記ストッパ部材は、前記ロッドに対して、前記開閉体の内面に沿って並列して配置されていることを特徴とする開閉体のロック装置。
【請求項２】
前記スイッチ部材は、前記開閉体の内面に沿ってスライドし、同開閉体の周縁部から出没するように配置されており、前記開閉体を閉じるときに、前記固定体の開口部周縁に摺接して引き込まれるように構成されている請求項１記載の開閉体のロック装置。
【請求項３】
前記固定体の開口部に一対のロック部が一対設けられていると共に、前記開閉体に、前記一対のロック部にそれぞれ係合する一対のロッドが、スライド可能に配置されており、
前記開閉体は、前記固定体の開口部に回転軸を介して開閉可能に取付けられており、前記スイッチ部材及び前記ストッパ部材は、前記ロッドよりも、前記開閉体の回転軸寄りに配置されている請求項１又は２記載の開閉体のロック装置。
【請求項４】
前記保持手段は、前記スイッチ部材をスライド可能に保持すると共に、前記ストッパ部材を前記スイッチ部材に対して連動可能に支持するケース部材を有しており、該ケース部材が前記開閉体に取付られるように構成されている請求項１〜３のいずれか１つに記載の開閉体のロック装置。
【発明の詳細な説明】
【技術分野】
【０００１】
本発明は、固定体の開口部に開閉可能に取付けられる開閉体を、閉じた状態にロックするための、開閉体のロック装置に関する。
【背景技術】
【０００２】
例えば、自動車のグローブボックス等の固定体に形成された開口部には、リッド等の開閉体が開閉可能に取付けられている。そして、開口部と開閉体との間には、開閉体を閉じたときにロックすると共に、開閉体を開くときにはロックを解除できるようにしたロック装置が設けられている。
【０００３】
このようなロック装置として、例えば、開閉体にスライド可能に配置され、開閉体の縁部から出没可能とされたロッドと、ロッドを突出方向に付勢するバネと、ロッドをバネの付勢力に抗して引き込み可能とする操作部材と、開口部側に設けられ、開閉体を閉じたときにロッドが挿入されるロック部とを備え、ロッドの先端部には、テーパ部が設けられていて、開閉体を閉じるときには、ロッドのテーパ部が開口部の周縁に当接して、開閉体内に一旦引き込んで、ロッドがロック部に至ると、バネの付勢力によってロック部に挿入されてロックされるようにしたものが知られている。しかしながら、この構造では、開閉体を閉じるときに、ロッド先端部が、開口部の周縁に当接するため、リッドを閉じにくく、衝突音が発生するという問題があった。
【０００４】
これを解決するために、本出願人は、下記特許文献１に示すように、リッド閉じ時にロッド先端を引き込んだ状態に保持可能なロック装置を開発した。すなわち、この特許文献１の図２０〜２２に示す実施形態には、開閉体にロッドがスライド可能に配設され、固定体にロック部が設けられ、付勢手段によってロッド先端部がロック部側に向けて付勢された構造を前提として、開閉体の内面側とロッドとの間に、レバーが揺動可能に配置されており、一方、ロッドの先端側に、両側に突部を設けた枠状の板状部が延設された、ロック装置が記載されている。そして、付勢手段によりロッドが押し出された状態では、レバーの基端部が、ロッドの板状部の突部には係合せず、一方、付勢手段の付勢力に抗してロッドが引き込まれると、レバーが回動して、その基端部が、ロッドの板状部の突部に係合するので、ロッド先端部が引き込まれた状態に保持される。
【先行技術文献】
【特許文献】
【０００５】
【特許文献１】国際公開ＷＯ２０１３／１２９１００号パンフレット
【発明の概要】
【発明が解決しようとする課題】
【０００６】
しかしながら、上記特許文献１に記載のロック装置においては、リッドの内面側とロッドとの間に、レバーを揺動可能に配置しなければならず、リッドの厚さが比較的厚くなる傾向にあった。
【０００７】
したがって、本発明の目的は、ロッドをロック部に係合させない状態に保持可能で、かつ、開閉体の薄型化を図ることができる、開閉体のロック装置を提供することにある。
【課題を解決するための手段】
【０００８】
上記目的を達成するため、本発明は、固定体の開口部に開閉可能に取付けられる開閉体のロック装置であって、前記固定体の開口部に設けられたロック部と、前記開閉体にスライド可能に配置されると共に、前記ロック部に係脱するロッドと、前記ロッドを前記ロック部に係合する方向に付勢する第１付勢手段と、前記第１付勢手段の付勢力に抗して、前記ロッドを前記ロック部に係合しない方向にスライドさせる操作手段と、前記操作手段により、前記ロッドを前記ロック部に係合しない方向にスライドさせると、前記第１付勢手段の付勢力に抗して前記ロッドを前記ロック部に係合しない状態に保持すると共に、前記開閉体を閉じると、前記ロッドの保持を解除して前記ロッドを前記ロック部に係合させる保持手段とを有し、前記保持手段は、前記開閉体の周縁部から出没可能に前記開閉体に装着され、第２付勢手段により突出方向に付勢されたスイッチ部材と、該スイッチ部材に連動して前記ロッドの移動を規制するストッパ部材とで構成されており、前記操作手段により前記ロッドを前記ロック部に係合しない方向にスライドさせると、前記ストッパ部材が前記ロッドの移動軌跡に侵入して、前記ロッドが前記第１付勢手段の付勢力により前記ロック部に係合する方向に戻るのを規制し、前記開閉体が開くと、前記スイッチ部材が前記第２付勢手段の付勢力により前記開閉体の周縁部から突出し、前記開閉体を閉じると、前記スイッチ部材が前記第２付勢手段の付勢力に抗して前記開閉体の周縁部から引き込まれ、前記ストッパ部材が前記スイッチ部材に連動して、前記ロッドの前記ロック部に係合する方向への移動を許容するように構成されており、前記スイッチ部材及び前記ストッパ部材は、前記ロッドに対して、前記開閉体の内面に沿って並列して配置されていることを特徴とする。
【０００９】
本発明の開閉体のロック装置においては、前記スイッチ部材は、前記開閉体の内面に沿ってスライドし、同開閉体の周縁部から出没するように配置されており、前記開閉体を閉じるときに、前記固定体の開口部周縁に摺接して引き込まれるように構成されていることが好ましい。
【００１０】
本発明の開閉体のロック装置においては、前記固定体の開口部に一対のロック部が一対設けられていると共に、前記開閉体に、前記一対のロック部にそれぞれ係合する一対のロッドが、スライド可能に配置されており、前記開閉体は、前記固定体の開口部に回転軸を介して開閉可能に取付けられており、前記スイッチ部材及び前記ストッパ部材は、前記ロッドよりも、前記開閉体の回転軸寄りに配置されていることが好ましい。
【００１１】
本発明の開閉体のロック装置においては、前記保持手段は、前記スイッチ部材をスライド可能に保持すると共に、前記ストッパ部材を前記スイッチ部材に対して連動可能に支持するケース部材を有しており、該ケース部材が前記開閉体に取付られるように構成されていることが好ましい。
【発明の効果】
【００１２】
本発明によれば、操作手段によりロッドをロック部に係合しない方向にスライドさせると、開閉体を開くことが可能となると共に、保持手段が、ロッドが第１付勢手段の付勢力によりロック部に係合する方向に戻るのを規制する。そして、保持手段を構成するスイッチ部材及びストッパ部材は、ロッドに対して、開閉体の内面に沿って並列して配置されているので、開閉体の薄型化を図ることができる。
【図面の簡単な説明】
【００１３】
【図１】本発明に係る開閉体のロック装置の一実施形態を示す分解斜視図である。
【図２】同ロック装置の要部拡大斜視図である。
【図３】同ロック装置を構成する保持手段の分解斜視図である。
【図４】同保持手段の斜視図である。
【図５】同ロック装置において、開閉体の内面側の構造を示す要部拡大斜視図である。
【図６】同ロック装置によって、開閉体を閉じた状態の説明図である。
【図７】同ロック装置によって、開閉体を開いた状態の説明図である。
【図８】同ロック装置によって、開閉体を閉じた状態を示しており、（ａ）はロッドの要部拡大説明図、（ｂ）は保持手段の要部拡大説明図、（ｃ）はスイッチ部材の要部拡大説明図である。
【図９】同ロック装置によって、開閉体を開いた状態を示しており、（ａ）はロッドの要部拡大説明図、（ｂ）は保持手段の要部拡大説明図、（ｃ）はスイッチ部材の要部拡大説明図である。
【図１０】同ロック装置によって、開閉体を閉じようとうする状態を示しており、（ａ）はロッドの要部拡大説明図、（ｂ）は保持手段の要部拡大説明図、（ｃ）はスイッチ部材の要部拡大説明図である。
【発明を実施するための形態】
【００１４】
以下、図面を参照して、本発明に係る開閉体のロック装置の、一実施形態について説明する。
【００１５】
図６や図８（ａ）に示すように、この実施形態における開閉体のロック装置１０（以下、「ロック装置１０」という）は、車両のインストルメントパネルに設けられたグローブボックス等の、固定体１の開口部３に、回転軸８（図４参照）を介して開閉可能に取付けられる開閉体６を、開閉ロックするために用いられるものである。
【００１６】
なお、開閉体のロック装置としては、例えば、インストルメントパネルの開口部に箱状のグローブボックスが回動可能に取付けられた構造に適用したり（この場合、インストルメントパネルが「固定体」、グローブボックスが「開閉体」をなす）、或いは、インストルメントパネルの開口部にリッドが開閉可能に取付けられた構造（この場合、インストルメントパネルが「固定体」、リッドが「開閉体」をなす）に適用したりしてもよく、固定体の開口部を開閉する各種の開閉体に広く用いることができる。
【００１７】
図５に示すように、この実施形態の固定体１には、その両側壁２，２の上方部分に、角孔状のロック部４が設けられている。また、少なくとも一方の側壁２の、前記ロック部４よりも下方には、後述するスイッチ部材５０（図３参照）が当接する、開口部内方に向けて段状に突出したスイッチ当接部５が設けられている。なお、ロック部４は、孔状でなくとも、後述するロッド３０，３１（図１参照）が係合可能な形状、例えば、凹部や、突起、枠状等であってもよく、特に限定はない。
【００１８】
一方、図５及び図８（ａ）に示すように、開閉体６の内面６ａ側には、固定体１の開口部３に挿入される、横長箱状のボックス７が設けられており、この内部に、図３に示すような、後述するケース部材４０やスイッチ部材５０、ストッパ部材６０等が配置されると共に、一対のロッド３０，３１がスライド可能に配置されている。また、図５及び図８（ａ）に示すように、ボックス７の両側壁には、ロッド３０，３１をスライド支持するロッド支持孔７ａが形成されている。更に、ボックス７の側壁内側には、ロッド３０，３１を支持するロッド支持壁６ｂが立設されている。また、図５に示すように、ボックス７の少なくとも一側壁であって、前記ロッド支持孔７ａよりも下方には、スイッチ部材５０をスライド支持するスイッチ支持孔７ｂが形成されている。
【００１９】
そして、図１に示すように、この実施形態のロック装置１０は、開閉体６に取付けられる取付ベース１１と、該取付ベース１１に回動可能に取付けられた回転体２０と、前記開閉体６の左右方向に回動可能となるように、前記取付ベース１１に取付けられた操作部材２５と、前記回転体２０に取付けられ、ロック部４，４に係脱する一対のロッド３０，３１と、ロッド３０，３１の軸方向先端側の係合部３３，３３を、ロック部４，４に係合する方向に付勢するトーションバネ２８（本発明における「第１付勢手段」をなす）とを有している。
【００２０】
図１に示すように、前記取付ベース１１には、その両側部の所定箇所に、突片を介して取付軸１２，１２が設けられており、これらが操作部材２５の両側の取付孔２６，２６に挿入されて、取付ベース１１に対して操作部材２５が左右方向に回動可能に取付けられている（図２参照）。
【００２１】
また、取付ベース１１の、前記取付軸１２，１２の間には、長孔１３が取付ベース１１を貫通して形成されており、該長孔１３に、操作部材２５の回動端部側に突設された押圧突起２７が移動可能に挿入される。更に取付ベース１１の所定位置からは支軸１４が突設されており、これが回転体２０の中央に設けた支持孔２１に挿入されて、回転体２０が回転可能に取付けられている。
【００２２】
一方、回転体２０は、前記支持孔２１の周縁から筒部２２が突設され、その外周にトーションバネ２８が装着されている。図２に示すように、トーションバネ２８は、その一端２８ａが取付ベース１１の突起１５に係止され、他端２８ｂが回転体２０の外周に係止されて、回転体２０を図６の矢印Ａ方向に回転付勢する。
【００２３】
また、回転体２０の、取付ベース１１側の面には、前記長孔１３内に配置される受け部２３が突設されている。したがって、操作部材２５を取付ベース１１から離れる方向に回動させると、その押圧突起２７が前記受け部２３を押圧して、トーションバネ２８の回転付勢力に抗して、回転体２０を回転付勢方向とは反対方向に回転させる。更に、回転体２０の周方向に対向する箇所からは、嵌合突起２４，２４が突設されている。
【００２４】
図１に示すように、この実施形態におけるロッド３０，３１は、ロッド３０の方が、ロッド３１よりも短く形成された略角棒状をなしている。各ロッド３０，３１の軸方向の先端部には、テーパ面を設けた係合部３３，３３が設けられており、この係合部３３，３３が前記ロック部４，４に係脱するようになっている。なお、係合部３３は、例えば、ロッド３０，３１の軸方向途中を分岐させてその先端に設けてもよい。
【００２５】
また、各ロッド３０，３１の基端部３５は、回転体２０側が開口した凹状をなし、回転体２０の嵌合突起２４，２４を嵌合させることで、回転体２０の周方向対向位置に、ロッド３０，３１の基端部３５，３５が枢支される。更に、回転体２０が、トーションバネ２８で回転付勢されているため、同回転体２０に連結されたロッド３０，３１の係合部３３，３３が、ロック部４，４に係合する方向に付勢されている（図６参照）。
【００２６】
そして、ロッド３０，３１は、その基端部３５が回転体２０に連結されているので、回転体２０を介して互いに逆方向にスライドするように構成され、一方のロッドのスライド動作に連動して、他方のロック片がスライド動作する。したがって、上述したように、操作部材２５を取付ベース１１から離れる方向に回動させ、トーションバネ２８の回転付勢力に抗して回転体２０を回転させると、一対のロッド３０，３１の係合部３３，３３が、一対のロック部４，４に係合しない方向にスライドするようになっている。すなわち、上記操作部材２５が、本発明における「操作手段」をなしている。
【００２７】
また、ロッド３０，３１の係合部３３，３３の付勢構造としては、例えば、引張りばね等を用いて、ロッド３０，３１の一方又は両方をスライド付勢することで行ってもよく、特に限定はない。この場合、引張りばねが本発明における「第１付勢手段」をなす。
【００２８】
更に、図１及び図３に示すように、ロッド３０の軸方向先端よりも、やや基端寄りの位置からは、柱部３７が突出している。この柱部３７の突出方向の先端部両側であって、前記係合部３３寄りの位置には、保持突部３８，３８が所定高さで突設している。図９（ｂ）に示すように、この保持突部３８，３８には、後述するストッパ部材６０の保持爪６６，６６が当接するようになっている。
【００２９】
そして、このロック装置１０は、操作手段（操作部材２５）により、ロッド３０をロック部４に係合しない方向にスライドさせると、第１付勢手段（トーションバネ２８）の付勢力に抗して、ロッド３０をロック部４に係合しない状態に保持すると共に、開閉体６を閉じると、ロッド３０の保持を解除して、ロッド３０をロック部４に係合させる保持手段を有している。
【００３０】
図３、４、６等に示すように、この保持手段は、開閉体６の周縁部から出没可能に開閉体６に装着され、第２付勢手段（ここではコイルバネ５９）により突出方向に付勢されたスイッチ部材５０と、該スイッチ部材５０に連動してロッド３０の移動を規制するストッパ部材６０とで構成されている。また、これらのスイッチ部材５０やストッパ部材６０は、ケース部材４０によって連動可能に支持されている。
【００３１】
なお、この実施形態においては、ロッド３０側に保持手段を設けたが、一対のロッド３０，３１は、回転体２０を介して互いに逆方向にスライドするように構成されているので、ロッド３０をロック部４に係合しない状態に保持すると、ロッド３１も、反対側のロック部４に係合しない状態に保持され、ロッド３０の保持が解除されると、ロッド３１の保持も解除されるようになっている。また、ロッド３１側に、ロッド３０側に設けた保持手段と同様の、保持手段を設けてもよい。
【００３２】
続いて保持手段を構成する各部材について詳述する。まず、ケース部材４０について説明する。
【００３３】
図３及び図４に示すように、この実施形態のケース部材４０は、一端側が閉塞し他端側が開口した略筒状をなした、本体４１を有している。この本体４１は、周方向に対向配置された丸みを帯びた両側部４１ａ，４１ａと、該両側部４１ａ，４１ａに直交した周方向対向位置に、互いに平行に配置された平坦部４１ｂ，４１ｂとを有している。
【００３４】
また、本体４１の両側部４１ａ，４１ａの開口部側には、スイッチ部材５０の係止爪５７，５７がスライド可能に挿入される（図８（ｃ）及び図９（ｃ）参照）、係止溝４３，４３が、本体４１の軸方向に沿って形成されている。
【００３５】
更に、本体４１の、ロッド３０側に位置する一方の平坦部４１ｂには、ストッパ部材６０の一対の係合片６３，６３が差し込まれる、ストッパ差込溝４４が、本体４１の他端開口部側から一端側に向けて所定長さで形成されている。
【００３６】
また、本体４１の一方の平坦部４１ｂの開口部側であって、前記ストッパ差込溝４４の周縁部両側には、ストッパ部材６０を回動支持するための、一対の回動支持片４５，４５が立設されている。各回動支持片４５は、本体４１の一端側が低く、他端側に向けて次第に高くなる形状をなしていると共に、その外側周縁に沿って、円弧状の回動ガイド溝４５ａが所定長さで形成されている。このガイド溝４５ａには、ストッパ部材６０の後述する回動支持突部６２が挿入されて（図４参照）、ストッパ部材６０の回動ガイドがなされるようになっている。
【００３７】
更に、本体４１の他方の平坦部４１ｂからは、取付部４７が突設されており、該取付部４７を介して、開閉体６に対してケース部材４０が取付けられるようになっている。
【００３８】
なお、本発明において、上記ケース部材４０の形状は、スイッチ部材５０及びストッパ部材６０を連動可能に支持できる形状であればよく、特に限定されない。また、ケース部材４０はなくてもよく、その場合には、スイッチ部材５０やストッパ部材６０を、開閉体に対して支持片等を介して、直接的にスライド可能に或いは回動可能に取付けることができる。
【００３９】
次に、開閉体６の周縁部から出没可能に開閉体６に装着され、第２付勢手段であるコイルバネ５９によって突出方向に付勢された、スイッチ部材５０について説明する。
【００４０】
このスイッチ部材５０は、ケース部材４０の本体４１内に、第２付勢手段をなすコイルバネ５９を介して、スライド可能に挿入配置されるものであって、この実施形態では、ケース部材４０に対してスライド可能で、かつ、ストッパ部材６０に連動可能に係合する基部５１と、該基部５１の一端部側に連設され、一側面にテーパ面５３ａを設けた先端部５３とを有している。
【００４１】
前記基部５１は、長さ方向両側が連結された一対の側壁５４，５４と、これらの間に形成された空隙５５と、一対の側壁５４，５４の長さ方向所定箇所（ここではほぼ中央）に連結された連結部５６とを有している。また、図３に示すように、各側壁５４の、先端部５３側の端部には、コ字状のスリット５７ａを介して撓み可能に形成されると共に、外面にテーパ面５７ｂを設けた係止爪５７がそれぞれ設けられており、これらの係止爪５７，５７が、ケース部材４０の一対の係止溝４３，４３にスライド可能に挿入されている。
【００４２】
更に、前記基部５１と、ケース部材４０の本体４１との間に、コイルバネ５９が配置されており、このコイルバネ５９によって、スイッチ部材５０の先端部５３が、ケース部材４０の開口部から突出する方向に付勢されている。このとき、前記係止爪５７，５７が、ケース部材４０の一対の係止溝４３，４３の周縁部に係止して、ケース部材４０に対してスイッチ部材５０が抜け止め保持される。
【００４３】
また、基部５１の空隙５５内には、ストッパ部材６０の一対の係合片６３，６３が挿入され、これらの係合片６３，６３により前記連結部５６が挟持されて、スイッチ部材５０に対してストッパ部材６０が連動可能に係合するようになっている。
【００４４】
そして、上記スイッチ部材５０は、開閉体６に取付けられたケース部材４０にスライド可能に挿入されることによって、開閉体６の内面６ａに沿ってスライドして、ケース部材４０の開口部や開閉体６の周縁部から出没するように配置されており（図８（ｃ）及び図９（ｃ）参照）、開閉体６を閉じるときに、固定体１の開口部周縁に設けたスイッチ当接部５に摺接して引き込まれるように構成されている（図１０（ｃ）参照）。
【００４５】
なお、スイッチ部材５０の形状は、開閉体の周縁部から出没可能にスライドし、かつ、ストッパ部材に連動可能に係合する形状であれば、特に限定はされない。また、スイッチ部材５０を付勢する第２付勢手段は、上記コイルバネ５９のみならず、引張りばね等であってもよく、特に限定はない。
【００４６】
次に、上記スイッチ部材５０に連動して、ロッド３０の移動を規制するストッパ部材６０について説明する。
【００４７】
図３及び図４に示すように、この実施形態のストッパ部材６０は、ケース部材４０の回動支持片４５，４５の間に回動可能に配置される回動部６１を有している。また、図８（ｂ）を併せて参照すると、この回動部６１の両側には、円弧状の回動支持突部６２，６２がそれぞれ突設されており、これらの回動支持突部６２，６２が、回動支持片４５の回動ガイド溝４５ａに挿入されて、ストッパ部材６０が回動可能に支持されるようになっている（図４参照）。
【００４８】
更に、図３に示すように、回動部６１の下面（ケース部材４０側の外面）からは、所定間隔をあけて一対の係合片６３，６３が延設されている。これらの係合片６３，６３が、ケース部材４０のストッパ差込溝４４に差し込まれると共に、スイッチ部材５０の空隙５５内に挿入されて、前記連結部５６を挟持することで、ストッパ部材６０がスイッチ部材５０に連動可能に係合している。そして、図８（ｂ）、図９（ｂ）、図１０（ｂ）に示すように、スイッチ部材５０のスライドに連動して、ストッパ部材６０が、回動ガイド溝４５ａに挿入された回動支持突部６２をガイドにして、回動するようになっている。また、ストッパ部材６０は、コイルバネ５９により付勢されたスイッチ部材５０によって、図８（ｂ）の矢印Ｂに示す方向に回動付勢されている。
【００４９】
更に図３に示すように、回動部６１の周方向基端部であって、その幅方向両側からは、一対の保持片６５，６５が、所定間隔をあけて互いに平行となるように、前記一対の係合片６３，６３とは反対向きに延設されている。これらの一対の保持片６５，６５の間隔は、前記ロッド３０の柱部３７に設けた保持突部３８，３８の最大突出高さより大きく形成されている。その結果、保持突部３８，３８の外側に、一対の係合片６３，６３が配置されて、ストッパ部材６０の回動時に、ロッド３０の保持突部３８，３８とは干渉しないようになっている。
【００５０】
また、図３に示すように、一対の保持片６５，６５の延出方向先端部であって、それらの内側周縁部からは、一対の保持爪６６，６６が外方（回動部６１の周方向基端部から離れた方向）に向けて突設されている。なお、図８（ｂ）に示すように、各保持爪６６の下面（回動部６１側の面）には、テーパ面６６ａが形成されている。この保持爪６６は、ロッド３０がロック部４に係合する位置にある状態では、図８（ｂ）に示すように、ロッド３０の保持突部３８の内面に所定隙間をあけて配置されており、一方、ロッド３０がロック部４に係合しない位置にある状態では、図９（ｂ）に示すように、保持爪６６の基端部が、ロッド３０の保持突部３８のロッド先端側の外面に係合するようになっている。
【００５１】
なお、この実施形態におけるストッパ部材６０は、一対の係合片６３，６３で、スイッチ部材５０の連結部５６を挟持することで、スイッチ部材５０と連動可能に係合しているが、この態様に限定されるものではない。すなわち、ストッパ部材は、スイッチ部材に連動可能に係合し、かつ、ロッドの移動を規制可能な構造であればよい。
【００５２】
そして、図４に示すように、上述したスイッチ部材５０及びストッパ部材６０は、ロッド３０に対して、開閉体６の内面６ａに沿って並列して配置されている。
【００５３】
この実施形態では、上述したように、スイッチ部材５０及びストッパ部材６０はケース部材４０により連動可能に支持されているので、このケース部材４０が開閉体６の内面６ａから突設した取付壁部６ｃに取付けられることで、スイッチ部材５０及びストッパ部材６０が、開閉体６の内面６ａに沿って並列して配置されるようになっている。また、スイッチ部材５０及びストッパ部材６０は、ロッド３０，３１よりも、開閉体６の回転軸８寄りに配置されている（図４参照）。
【００５４】
そして、このロック装置１０は、操作手段（操作部材２５）によりロッド３０をロック部４に係合しない方向にスライドさせると（図９（ａ）参照）、ストッパ部材６０がロッド３０の移動軌跡に侵入して、ロッド３０が第１付勢手段（トーションバネ２８）の付勢力によりロック部４に係合する方向に戻るのを規制し（図９（ｂ）参照）、開閉体６が開くとスイッチ部材５０が第２付勢手段（コイルバネ５９）の付勢力により開閉体６の周縁部から突出し（図９（ｃ）参照）、開閉体６を閉じると、スイッチ部材５０が第２付勢手段の付勢力に抗して開閉体６の周縁部から引き込まれ（図１０（ｃ）参照）、ストッパ部材６０がスイッチ部材５０に連動して（図１０（ｂ）参照）、ロッド３０のロック部４に係合する方向への移動を許容するように構成されている（図１０（ａ）参照）。
【００５５】
これについて詳述すると、図８（ａ）に示すように、固定体１の開口部３に対して開閉体６を閉じた状態、すなわち、トーションバネ２８によって、ロッド３０の係合部３３がロック部４に係合する方向に付勢された状態では、図８（ｂ）に示すように、ストッパ部材６０の保持爪６６が、ロッド３０の保持突部３８のロッド側内面に配置されている。この状態では、スイッチ部材５０の先端部５３が、固定体１の側壁２のスイッチ当接部５に押圧されて、コイルバネ５９の付勢力に抗して、開閉体６の周縁部及びケース部材４０の開口から、やや引き込まれた状態に保持されている（図８（ｃ）参照）。
【００５６】
上記状態から操作部材２５を介して、回転体２０をトーションバネ２８の回転付勢力に抗して回転させると、ロッド３０の係合部３３がロック部４に係合しない方向にスライドして、ロッド３０の保持突部３８が保持爪６６のテーパ面６６ａを押圧して、ストッパ部材６０を、その回動付勢力に抗して、図８（ｂ）の矢印Ｂとは反対方向に回動させる。
【００５７】
そして、保持突部３８が保持爪６６を乗り越えると、ストッパ部材６０が回動付勢方向（図８（ｂ）の矢印Ｂ参照）に回動するので、それに伴って保持爪６６が、ロッド３０の移動軌跡、ここでは、ロッド３０の保持突部３８の移動軌跡（図９（ｂ）の矢印Ｃ参照）に侵入すると共に、同保持爪６６の基端部が、トーションバネ２８により付勢されたロッド３０の保持突部３８の、ロッド先端側の外面に係合して（図９（ｂ）参照）、ロッド３０の係合部３３がロック部４に係合する方向に戻るのを規制する（図９（ａ）参照）。開閉体６が開くと、スイッチ部材５０は、その先端部５３が、コイルバネ５９の付勢力によって、ケース部材４０の開口部及び開閉体６の周縁部から最大限突出する（図９（ｃ）参照）。
【００５８】
上記のように、ロッド３０が保持された状態で、固定体１の開口部３に対して開閉体６を閉じると、図１０（ｃ）に示すように、スイッチ部材５０の先端部５３が、固定体１の側壁２のスイッチ当接部５に当接して、コイルバネ５９の付勢力に抗して、開閉体６の周縁部及びケース部材４０の開口部から引き込まれると共に、このスイッチ部材５０に連動して、図１０（ｂ）に示すように、ストッパ部材６０が回動付勢方向とは反対方向に回動して、保持爪６６と保持突部３８との係合が解除されるので（図１０（ｂ）の矢印参照）、トーションバネ２８の付勢力によって、ロッド３０の係合部３３が、ロック部４に係合する方向への移動が許容されるようになっている（図１０（ａ）参照）。
【００５９】
なお、本発明における「保持手段」としては、操作手段の操作により、ロッドをスライドさせると、開閉体が開かなくても、ロッドを仮保持可能な構造としてもよく、或いは、操作手段の操作により、ロッドをスライドさせて、開閉体が開き出してから、ロッドを仮保持可能な構造としてもよく、特に限定はされない。
【００６０】
なお、上記実施形態では、スイッチ部材６０をケース部材４０に対してスライド可能とし、ストッパー部材６０をケース部材４０に回動支持させて、スイッチ部材５０と連動可能に係合するように構成したが、この態様に限定されるものではない。例えば、スイッチ部材又はストッパー部材の一方にラック溝を形成し、他方にピニオンギヤを装着して、いわゆるラックピニオン構造で、スイッチ部材に連動してストッパー部材を連動させたり、更には、スイッチ部材又はストッパー部材の一方にカム面を設け、他方にカム面により押圧されるカム押圧面を設けて、いわゆるカム構造によって、スイッチ部材に連動してストッパー部材を連動させたりしてもよく、ロッドがロック部に係合しない方向にスライドしたときに、ストッパ部材がロッドの移動軌跡に侵入するように動作してロッドの戻りを規制し、開閉体を閉じてスイッチ部材が引き込まれる方向に移動したときに、それにストッパ部材が連動して、ロッドの移動を許容する構造であれば、特に限定はされない。
【００６１】
次に、上記構造からなるロック装置１０の作用効果について説明する。
【００６２】
すなわち、固定体１の開口部３を閉じるべく、開閉体６を押し込むと、ロッド３０，３１の係合部３３のテーパ面が、固定体１の両側壁２，２の内面に押圧されて、トーションバネ２８の付勢力に抗して、一対のロッド３０，３１が開閉体６の内方に引き込まれていく。そして、各係合部３３，３３がロック部４，４に至ると、トーションバネ２８の付勢力により回転付勢された回転体２０を介して、ロッド３０，３１の係合部３３，３３が、ロック部４，４に向けて押し出されて、各係合部３３，３３がロック部４，４にそれぞれ係合して、固定体１の開口部３を開閉体６で閉じた状態にロックすることができる（図６及び図８（ａ）参照）。
【００６３】
上記状態では、図８（ｂ）に示すように、ストッパ部材６０の保持爪６６が、ロッド３０の保持突部３８の移動軌跡に侵入しないように配置されると共に、図８（ｃ）に示すように、スイッチ部材５０の先端部５３が、固定体１の側壁２のスイッチ当接部５に弾性的に当接した状態となっている。
【００６４】
そして、固定体１の開口部３から開閉体６を開く場合には、操作部材２５を操作して、トーションバネ２８の付勢力に抗して、図７に示すように、一対のロッド３０，３１の係合部３３，３３を、ロック部４，４に係合しない方向にスライドさせる。すると、ロッド３０の保持突部３８が保持爪６６を押圧して、ストッパ部材６０を回動付勢方向とは反対方向に回動させ、保持突部３８が保持爪６６を乗り越えると、ストッパ部材６０が回動付勢方向に回動して、保持爪６６がロッド３０の保持突部３８の移動軌跡（図９（ｂ）の矢印Ｃ参照）に侵入するので、保持爪６６の基端部が保持突部３８のロッド先端側の外面に係合することとなり（図９（ｂ）参照）、ロッド３０の係合部３３がロック部４に係合する方向に戻るのを規制することができる（図９（ａ）参照）。また、回転体２０を介してロッド３１の係合部３３も、ロック部４に係合する方向に戻るのが規制される。こうして、一対のロッド３０，３１の係合部３３，３３と、ロック部４，４との係合が解除されるので、固定体１の開口部３から開閉体６を移動させて、固定体１の開口部３を開くことができる。
【００６５】
また、開閉体６を開いて、ロッド３０，３１が引き込み規制された状態から、再度開閉体６を閉じるべく、固定体１の開口部３に向けて開閉体６を押し込むと、図１０（ｃ）に示すように、スイッチ部材５０の先端部５３が、固定体１の側壁２のスイッチ当接部５に当接し、コイルバネ５９の付勢力に抗して、開閉体６の周縁部及びケース部材４０の開口部から引き込まれると共に、これに連動して、図１０（ｂ）に示すように、ストッパ部材６０が回動付勢方向とは反対方向に回動して、保持爪６６と保持突部３８との係合が解除されるので、ロッド３０，３１が再びトーションバネ２８の付勢力によって押されて、その係合部３３，３３がロック部４，４に係合して、固定体１の開口部３を閉じた状態にロックすることができる（図６及び図１０（ａ）参照）。
【００６６】
そして、このロック装置１０においては、図４に示すように、スイッチ部材５０及びストッパ部材６０は、ロッド３０に対して、開閉体６の内面６ａに沿って並列して配置されるようになっており、開閉体６の内面の面直方向に沿って、ロッド３０，３１や、スイッチ部材５０、ストッパ部材６０が配置されていない構造となっているので、開閉体６の薄型化を図ることができる。
【００６７】
また、この実施形態においては、図８（ｃ）や図９（ｃ）に示すように、スイッチ部材５０は、開閉体６の内面６ａに沿ってスライドし、開閉体６の周縁部から出没するように配置されていると共に、図１０（ｃ）に示すように、開閉体６を閉じるときに、固定体１の開口部周縁のスイッチ当接部５に摺接して引き込まれるように構成されているので、スイッチ部材５０のスライド動作が、上記特許文献１のロック装置のレバーのように、開閉体の面直方向に揺動する構造とはならないため、開閉体６を、より薄型化することができる。
【００６８】
更にこの実施形態においては、図４に示すように、スイッチ部材５０及びストッパ部材６０は、ロッド３０，３１よりも、開閉体６の回転軸８寄りに配置されているので、ロッド３０，３１を、開閉体６の回転軸８から離れた位置に配置でき、図６に示すように、開閉体６を閉じた状態でしっかりとロックすることができると共に、ストッパ部材６０によるロッド３０の引込み保持をしっかりと維持することができる。
【００６９】
また、この実施形態においては、図４に示すように、ケース部材４０に、スイッチ部材５０がスライド可能に保持されると共に、ストッパ部材６０がスイッチ部材５０に対して連動可能に支持されるので、スイッチ部材５０及びストッパ部材６０からなる保持手段を容易に組付けることができ、更に、ケース部材４０を介して、開閉体６に簡単に保持手段を取付けることができる。
【００７０】
ところで、以上説明した実施形態においては、操作手段をなす操作部材２５を、左右方向に回動可能な構造としたが、例えば、取付ベース１１に対して上下方向に回動可能なレバー状にして、回転体２０を回動させたり、回転体２０を直接的に回動させる回転ノブ状としたり、或いは、取付ベース１１に対して押し込み可能なボタン状にして、回転体２０を回動させたりしてもよく、特に限定はされない。更に、この実施形態では、スライド可能な左右一対のロッド３０，３１を有する、いわゆるサイドロック構造をなしているが、ロッドを１本としたり、３本以上にしたりしてもよく、特に限定はない。また、一対のロッドをスライド動作させる構造としては、回転体のみならず、例えば、ピニオンギヤを採用すると共に、一対のロッドにラック溝をそれぞれ形成しておき、このラック溝に前記ピニオンギヤに歯合させて、一方のロッドをスライドさせることで、ピニオンギヤを介して他方のロッドをスライドさせるようにしてもよく、特に限定はされない。
【００７１】
なお、本発明は、上述した実施形態に限定されるものではなく、本発明の要旨の範囲内で、各種の変形実施形態が可能であり、そのような実施形態も本発明の範囲に含まれる。
【符号の説明】
【００７２】
１  固定体
３  開口部
４  ロック部
６  開閉体
６ａ  内面
８  回転軸
１０  開閉体のロック装置（ロック装置）
２０  回転体
２８  トーションバネ（第１付勢手段）
３０，３１  ロッド
３３  係合部
３８  保持突部
４０  ケース部材
５０  スイッチ部材
５３  先端部
５９  コイルバネ（第２付勢手段）
６０  ストッパ部材
６６  保持爪
【図１】
2017002470.tif 000003
【図２】
2017002470.tif 000004
【図３】
2017002470.tif 000005
【図４】
2017002470.tif 000006
【図５】
2017002470.tif 000007
【図６】
2017002470.tif 000008
【図７】
2017002470.tif 000009
【図８】
2017002470.tif 000010
【図９】
2017002470.tif 000011
【図１０】
2017002470.tif 000012